(57)【要約】【目的】ズボン、スカートのウエスト寸法が狭くなったものを延長補足し、再び着用可能にし、新品の購入のための経済的、製作時間の無駄、リフォームの手間の解消に寄与する。【構成】ベルト１の表には、ボタン１個と左右にボタンホール４個以上、メンかん４個以上が設けられている。ベルト１の裏側には向きの違うオンかん２こが設けられている。ベルト１は、ウエストポーチと一体化し、ズボン、スカートに取り付けることによる、ファスナーの開口部１１をウエストポーチが外側から覆い人目を気にせず着用できる。【選択図】　　図５
2004100124.tif 000002
【特許請求の範囲】
【請求項１】
細長い布製ベルト表側のベルト幅方向中央に一般のズボン、スカートのウエスト結合部に付けられている物と同寸のボタン１個を逢着し、前記ボタンを中心に左右長手方向一列に間隔を空けた所定位置に少なくてもそれぞれ２個以上の前記ボタンに合うボタンホールをベルト長手方向に設け、それぞれのボタンホールより前記ボタンよりに５ミリメートル空けた場所に、一般のズボン、スカートのウエスト結合部に付けられている前かんのメンかんを１個ずつベルト幅方向に逢着した一面と、前記ベルト裏側の、前記ボタンと同位置にベルト長手方向にボタンを左右に挟むように、前記前かんのオンかんを左右別向きに逢着した他面を有するベルト。メンかんは、糸で作成逢着したものでも良い。
【請求項２】
底が深めで幅の広めのウエストポーチ後部の上部左右側面近くと中央に３個の開閉式のベルト通しを設け、請求項１のベルトが前記ベルト通し、図５の（１７）、（１７）間と同寸になるよう、両端を所定の分折り返し縫合してそれぞれ輪状にし、前記ベルトを、前かんのオンかんが逢着されている面を表に出すようベルト通しにセットし、前記ベルトがベルト通しから着脱自在とした請求項１のベルト。
【請求項３】
おしゃれ目的の丈の短めの巻きスカート又は巻きエプロンや、三角に折ったスカーフのウエストに当たる部分の上部横方向に請求項１のベルトを前かんのオンかんが逢着された面を表に出し長手方向にして沿わせ、前記ベルトの図６（２２）の４箇所を幅方向に前記の巻きスカート、又は巻きエプロンやスカーフと逢合された請求項１のベルト。
【発明の詳細な説明】
【０００１】
【産業上の利用分野】
ズボン、スカートのウエスト寸法の延長補足、保持用ベルトに関する。
【０００２】
【従来の技術】
従来の技術は、ズボン、スカートのウエスト寸法が体重増加、妊娠などの理由狭くなり穿けなくなると、ウエスト寸法に合う新品を購入したり、製作したり、又タックの縫い目を解き広げウエスト寸法に合うようリフォームして穿いた。
【０００３】
【発明が解決しようとする課題】
本発明は、ズボン、スカートのウエスト寸法が合わなくなった理由だけで新品を購入し、また製作しなければならない経済的、又製作時間の無駄と、リフォームの面倒さを解消することにある。
【０００４】
【課題を解決するための手段】
上記目的を達成するために上記請求項１に記述の構成は、細長い布製ベルト表側のベルト幅方向中央に一般のズボン、スカートのウエスト結合部に付けられている物と同寸のボタン１個を逢着し、前記ボタンを中心に左右長手方向一列に間隔を空けた所定位置に少なくてもそれぞれ２個以上の前記ボタンに合うボタンホールをベルト幅方向中央に設け、それぞれのボタンホールより、前記ボタン寄りに５ミリメートル空けた場所に、一般のズボン、スカートのウエスト結合部に付けられている前かんと同寸のメンかんを１個ずつ、ベルト幅方向に逢着した一面と、前記ベルト裏側の、前記ボタンと同位置にベルト長手方向にボタンを左右に挟むように、前記前かんのオンかんを左右別向きにベルト幅方向中央に逢着した他面を有するベルトを備えたことにある。
【０００５】
又、請求項２に於いては、底が深めで幅の広めのウエストポーチ後部の上部左右側面近くと中央に３個の開閉式のベルト通しを設け、請求項１のベルトが前記ベルト通し、図５の１７、１７間と同寸になるよう、両端を所定の分折り返し縫合してそろぞれ輪状にし、前かんのオンかんが逢着されている面を表に出し、ベルト通し１７を前記ベルト両端の輪のなかに、ベルト通し１８はベルトの外になるようセットし、前記ベルトがベルト通しから着脱自在とした請求項１のベルトを備えたことによる。
【０００６】
又、請求項３に於いては、おしゃれ目的の丈の短めの巻きスカート又は巻きエプロンや、３角に折ったスカーフのウエストに当たる部分の上部横方向に請求項１のベルトを前かんのオンかんが逢着された面を表に出し長手方向にして沿わせ、ベルト両端及びオンかん、メンかんの間、図６、２２の４箇所をベルトの幅方向に前記巻きスカート、又は巻きエプロンやスカーフと縫合された請求項１のベルトを備えたことにある。
【０００７】
【発明の作用・効果】
上記のように請求項１のベルトを備えたことにより、ズボン、スカートのウエスト寸法が体重増加、妊娠などの理由で合わなくなった場合、前記ベルト上のボタンをズボン、スカートのウエスト結合部のボタンホールに嵌め、前記ベルトのボタンホールへ、ズボン、スカートのウエスト結合部のボタンを嵌めることによりウエスト寸法が延長補足され、人体にズボン、スカートが保持される。ズボン、スカートのボタン、ボタンホールが左右逆についている場合は、前記ベルト上にはボタンの左右にボタンホールが設けられているので対応でき、又ボタンホールが間隔を空け複数設けられているので、足りないウエスト寸法に合わせて選ぶことが出来る。気に入って着用していたズボン、スカートもウエスト寸法が合わなくなれば着用をあきらめざるを得なかった物が、前記ベルトを使用することによりリフォームの必要も、新しく買う必要も無くもう一度着用可能になるのである。
【０００８】
又、ズボン、スカートのウエスト結合部に前かんが取り付けてある場合は、ズボン、スカートのオンかんを請求項１のベルト上のメンかんに嵌め、ズボン、スカートのメンかんを前記ベルト別面のオンかんに嵌めることによりズボンスカートのウエスト寸法が延長補足され、人体にズボン、スカートが保持される。ズボン、スカートのオンかん、メンかんが逆に取り付けられている場合は前記ベルト上にはオンかんが左右向きを変え１個ずつ設けられており、またメンかんもオンかんの左右に設けられているので対応でき、又そのメンかんは間隔を空け複数設けられているので、足りないウエスト寸法に合わせて選ぶことが出来る。
【０００９】
又、請求項２のように請求項１のベルト両端の所定の分を折り返し縫合しそれぞれ輪状にしたものを前かんのオンかんが逢着されている面を表にしウエストポーチの後側に設けたベルト通しにセットする。前記ベルトをズボン、スカートに取り付けウエスト寸法が延長されたことにより、ズボン、スカートのファスナーが３角状に空く図３の１１、図４の１１の部分は、前記ベルトとウエストポーチを一体化したことにより、ウエストポーチが外側から覆い人目を気にする事なくズボン、スカートを穿ける。又、都合でウエストポーチが邪魔なときは前記の３つのベルト通しを開放し、ベルトとウエストポーチを離すことが出来る。
【００１０】
又、請求項３のようにおしゃれ目的の丈の短めの巻きスカート、又は巻きエプロンや３角に折ったスカーフの上部、ウエスト部へ横方向に請求項１のベルトを前かんのオンかんが取り付けられている面を表に出し長手方向にして沿わせ、まきスカート、又は巻きエプロンや３角に折ったスカーフと縫合し一体化することにより、上記のように前記ベルトにズボン、スカートを取り付けた時に出来るファスナー開口部図３の１１、図４の１１が、人体のウエストを一回りする巻きスカート、又は巻きエプロンやスカーフで覆い隠され、人目を気にする事無く着用できる。
【００１１】
【効果】以上のように、請求項１のベルトを使用することによりズボン、スカートのウエスト寸法が足りない分だけ延長補足され、人体に保持されるので再び前記ズボン、スカートが着用可能になる。ボタン、前かんどちらにもこのベルト１本で使用可能である。上に着るものが腰を隠す長さがあり、ズボン、スカートの上に出して着る場合は上記のベルトのみの使用が可能である。　請求項２では、ウエストポーチと前記ベルトが一体化されることにより、ベルト使用時に生ずるズボン、スカートのファスナーの開口部、図３、図４の１１をウエストポーチが外側から覆い隠すので人目を気にせず着用出来、ウエストポーチには小物が入り手ぶらで歩け、都合でウエストポーチが邪魔なときはベルトから外すことが出来る。請求項３でも、前記ベルトとおしゃれ目的の丈の短めの巻きスカート、又は巻きエプロンや３角にスカーフと一体化することにより前述の図３、図４の１１が外側より覆われ人目を気にせずズボン、スカートを着用でき、おしゃれも楽しめる。以上によりズボン、スカートのウエスト寸法が合わなくなっただけで、気に入って着用していた物を捨ててしまわなければならない無駄と、製作、リフォームにかかる手間を解消できる。
【００１２】
【実施例】
以下、実施例を図面を用いて説明すると、図１は、ズボン、スカートのウエスト寸法延長補足、保持を可能とする布製の細長いベルト１の表面２の平面図である。ベルトに、一般のズボン、スカートのウエスト結合部に付けられているものと同寸のボタン４が逢着され、ボタン４を中心に左右所定の間隔を空けボタン４の嵌るボタンホール５Ａ、５Ｂが少なくても２個以上設けられている。又、各ボタンホールのボタン４寄りに５ミリメートル空けた場所へ、一般のズボン、スカートのウエスト結合部に付けられている前かんのメンかん６Ａ、６Ｂがボタンホールの数だけ逢着されている。
【００１３】
ベルト１の裏面３は図２に示すように、ベルト２に逢着されたボタン４を左右から挟む位置に、一般のズボン、スカートのウエスト結合部に付けられているものと同寸の前かんのオンかん６、７を左右向きを変え逢着する。
【００１４】
上記のベルトを、ウエスト寸法の足りないズボン、スカートに取り付けるには、図３のように、ベルト１の裏面３を人体に向け、ズボン、スカートのウエスト結合部にボタンがつけられている場合、ズボン、スカートを人体に穿きズボン、スカートのボタン８を内側からボタンホール５Ａに嵌め、ズボン、スカートのボタンホール９にボタン４を内側から嵌める。ボタンホール５Ａは間隔を空け２個以上設けられているので、ウエストに合うところへ嵌める。ズボン、スカートのボタン、ボタンホールが左右逆に付けられている場合は、ズボン、スカートのボタンをボタンホール５Ｂへ嵌めればよい。
【００１５】
又、図４のように、ズボン、スカートのウエスト結合部に前かんがつけられている場合、ズボン、スカートを人体に穿き、ベルト１の裏面３を人体に向け、ズボン、スカートのオンかん１２をベルト１の外側からメンかん６Ａに嵌め、オンかん６にズボン、スカートのメンかん１３をベルト１の内側で嵌める。ズボン、スカートのオンかん、メンかんが左右逆につけられている場合はズボン、スカートのオンかんをベルト１の外側からメンかん６Ｂに嵌め、ズボン、スカートのメンかんはベルト１の内側でオンかん７に嵌める。ベルト２にはメンかん６Ａ、６Ｂ共２個以上設けられているので、ウエストに合う所へ嵌める。上半身に着る服が腰を隠すくらいの丈がありズボン、スカートの上に出して着る場合は、ベルト１を使用することにより出来る、ズボン、スカートのファスナーの空き図３、図４の１１が外側から覆われるのでベルト１のみの使用が可能である。
【００１６】
次に、図５は、底が深めで幅の広めのウエストポーチとベルト１を一体化させた図である。ウエストポーチ後側１５の上部左右のウエストポーチ側面１６近くと、上部中央の３箇所に開閉式のベルト通し１７，１８を設け、ベルト１の長さがベルト通し、１７，１７間と同寸になるよう両端部を折り返しそれぞれ輪状になるよう縫合し、ベルト３を表に出し、前記ベルト１の両端に作成した輪にベルト通し１７を嵌め、ベルト通し１８のがベルト１の外側に出るようベルト１をセットする。ズボン、スカートに上記ベルトを取り付けると、ベルト１も、３角状に空いたファスナー部分１１もウエストポーチが外側から覆うので人目を気にせず着用できる。又、都合でウエストポーチが邪魔なときは、ベルト通しを開放すればベルト１から外すことが出来る。
【００１７】
図６では、ベルト１をおしゃれ目的である丈の短めの巻きスカート、又は巻きエプロンやスカーフと一体化させた物である。上記の巻きスカート、又は巻きエプロン裏側２１のウエスト部へ横方向に、ベルト３面を表にして沿わせ図６，２２の４箇所を縫合、又は安全ピンで止め一体化させることにより、ズボン、スカートのウエスト寸法の不足分を延長補足し、人体に保持させ、又ファスナー開口部１１も巻きスカート、巻きエプロンが腰を一回りするので外側から覆ってくれ人目を気にせず着用できる。
【図面の簡単な説明】
【図１】本考案のベルトの表側平面図である。
【図２】本考案のベルトの裏面平面図である。
【図３】ズボン、スカートのボタン、ボタンホールとベルトの実施例である。
【図４】ズボン、スカートの前かんとベルトの実施例である。
【図５】ベルトとウエストポーチを一体化させた平面図である。
【図６】ベルトと巻きスカート、巻きエプロンを一体化させた平面図である。
【符号の説明】
１　布製のベルト、　２　ベルト表、　３　ベルト裏、　４　ボタン、　５Ａ　ボタンホール、　５Ｂ　ボタンホール、　６　オンかん、　６Ａ　メンかん、　６Ｂ　メンかん、　７　オンかん、　８　ズボン、スカートのボタン、９　ズボン、スカートのボタンホール、　１０　ズボン、スカートの表、　１１　ズボン、スカートのファスナー開口部、　１２　ズボン、スカートのオンかん、　１３ズボン、スカートのメンかん、　１４　ウエストポーチ、　１５　ウエストポーチ後側、　１６　ウエストポーチ側面、　１７　ベルト通し、　１８　ベルト通し、　１９　マジックによる開閉部、　２０　ウエストポーチのベルト、　２１　巻きスカート、巻きエプロンの裏側、　２２　縫合部、　２３　巻きエプロン、巻きスカートの紐、
【図１】
2004100124.tif 000003
【図２】
2004100124.tif 000004
【図３】
2004100124.tif 000005
【図４】
2004100124.tif 000006
【図５】
2004100124.tif 000007
【図６】
2004100124.tif 000008